【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
共同タギング環境内で用語を収束化させる方法であって、
前記共同タギング環境内で各々の投稿物を受信するステップと、
前記投稿物の少なくとも幾つかを発散性であるものと識別するステップと、
少なくとも一つのユーザが前記発散性の投稿物を収束化させることを可能にするステップと
を含むことを特徴とする方法。
【請求項２】
前記各々の投稿物を受信するステップは、前記投稿物を少なくとも１人の人であるユーザから受信するステップを更に含むことを特徴とする請求項１に記載の方法。
【請求項３】
前記各々の投稿物を受信するステップは、前記投稿物を少なくとも１つの自動化されたプロセスから受信するステップを更に含むことを特徴とする請求項１に記載の方法。
【請求項４】
前記発散性の投稿物をネットワークリソースとの関連で提供されている少なくとも１つのサーバ内にロードするステップを更に含むことを特徴とする請求項１に記載の方法。
【請求項５】
前記サーバは、少なくとも１つのウェブのページを提供するためのものであり、
前記ネットワークリソースは、ウェブサイトであることを特徴とする請求項４に記載の方法。
【請求項６】
少なくとも一つの認定されたユーザが前記発散性の投稿物を収束化させることを可能にする前に、前記サーバから前記発散性の投稿物を検索するステップを更に含むことを特徴とする請求項４に記載の方法。
【請求項７】
前記発散性の投稿物の収束化されたバージョンを前記サーバ上にロードするステップを更に含むことを特徴とする請求項１に記載の方法。
【請求項８】
前記発散性の投稿物を前記サーバ上にロードする前に、前記ユーザが前記発散性の投稿物を収束化させることを可能にするステップが遂行されることを特徴とする請求項７に記載の方法。
【請求項９】
前記発散性の投稿物を収束化させる少なくとも１つの規則を生成するステップを更に含むことを特徴とする請求項１に記載の方法。
【請求項１０】
前記規則を削除するステップを更に含むことを特徴とする請求項９に記載の方法。
【請求項１１】
前記規則を修正するステップを更に含むことを特徴とする請求項９に記載の方法。
【請求項１２】
少なくとも１つの更なる規則を生成するステップを更に含むことを特徴とする請求項９に記載の方法。
【請求項１３】
前記規則を生成するステップは、前記少なくとも一つのユーザが前記発散性の投稿物を収束化させることを可能にするのに応答して遂行されることを特徴とする請求項９に記載の方法。
【請求項１４】
前記規則を前記投稿物に関して実行するステップを更に含むことを特徴とする請求項９に記載の方法。
【請求項１５】
前記規則を規則セットストア内にロードするステップを更に含むことを特徴とする請求項９に記載の方法。
【請求項１６】
前記ユーザの少なくとも一つを、前記発散性の投稿物を収束化させるために認定するステップを更に含むことを特徴とする請求項１に記載の方法。
【請求項１７】
前記ユーザの少なくとも一つを、自動化された収束化エンジンを前記発散性の投稿物を収束化させるために使用するために認定するステップを更に含むことを特徴とする請求項１に記載の方法。
【請求項１８】
前記ユーザの少なくとも一つを、自動化された収束化エンジンの少なくとも幾つかの特徴を前記発散性の投稿物を収束化させるために使用するために認定するステップを更に含むことを特徴とする請求項１に記載の方法。
【請求項１９】
前記投稿物の少なくとも幾つかを発散性であると識別するステップは、前記発散性の投稿物内の少なくとも幾つかの用語を、互いに同義語であると識別するステップを更に含むことを特徴とする請求項１に記載の方法。
【請求項２０】
前記投稿物の少なくとも幾つかを発散性であると識別するステップは、前記発散性の投稿物内の少なくとも幾つかの用語を、前記発散性の投稿物内の他の用語のより具体的な対応物であるものとして識別するステップを更に含むことを特徴とする請求項１に記載の方法。
【請求項２１】
前記投稿物の少なくとも幾つかを発散性であると識別するステップは、前記発散性の投稿物内の少なくとも幾つかの用語を、様々な測定単位にて表されているものとして識別するステップを更に含むことを特徴とする請求項１に記載の方法。
【請求項２２】
前記投稿物の少なくとも幾つかを発散性であると識別するステップは、前記発散性の投稿物内の少なくとも幾つかの用語を、口汚いものとして識別するステップを更に含むことを特徴とする請求項１に記載の方法。
【請求項２３】
前記投稿物の少なくとも幾つかを発散性であると識別するステップは、前記投稿物の少なくとも幾つかを、比較が不完全であることを表現しているものとして識別するステップを更に含むことを特徴とする請求項１に記載の方法。
【請求項２４】
前記投稿物の少なくとも幾つかを発散性であると識別するステップは、前記投稿物を統計的に解析するステップを更に含むことを特徴とする請求項１に記載の方法。
【請求項２５】
前記投稿物の少なくとも幾つかを発散性であると識別するステップは、前記投稿物を構文的に解析するステップを更に含むことを特徴とする請求項１に記載の方法。
【請求項２６】
１つもしくは複数のプロセッサと、
前記１つもしくは複数のプロセッサによって実行されるとき、請求項１乃至請求項２５のいずれかの方法を遂行するコンピュータ実行可能命令を格納するメモリと
を含むことを特徴とする１つまたは複数のコンピューティングデバイス。
【請求項２７】
請求項１乃至請求項２５のいずれかの方法を遂行させるためのコンピュータプログラム。
【請求項２８】
複数のユーザの少なくとも一つを、自動化された収束化エンジンを使用することができるように認定する方法であって、
前記ユーザと関連する複数のレコードであって、前記レコードは前記ユーザによって遂行された過去の動作を示すレコードにアクセスするステップと、
前記ユーザによって遂行された動作を解析するステップと、
前記ユーザの少なくとも一つを、前記収束化エンジンの機能の少なくとも幾つかを、共同タギング環境内の用語を収束化させるために許可するステップと
を含むことを特徴とする方法。
【請求項２９】
前記動作を解析するステップは、前記ユーザに対して適用するプロファイリングシステムを確立するステップを更に含むことを特徴とする請求項２８に記載の方法。
【請求項３０】
前記共同タギング環境へのコンテンツの投稿に対して第１の数のポイントを付与するステップを更に含むことを特徴とする請求項２９に記載の方法。
【請求項３１】
前記共同タギング環境に投稿されたコンテンツの編集に対して第２の数のポイントを付与するステップを更に含むことを特徴とする請求項３０に記載の方法。
【請求項３２】
前記第２の数のポイントは前記第１の数のポイントより大きいことを特徴とする請求項３１に記載の方法。
【請求項３３】
前記ユーザの少なくとも一つを許可するステップは、前記ユーザがポイントシステム下において何点稼いだかを考慮するステップを更に含むことを特徴とする請求項２９に記載の方法。
【請求項３４】
前記ユーザの少なくとも一つを許可するステップは、前記ユーザが共同タギング環境内の用語を収束化させるために、前記収束化エンジンの全ての機能にアクセスできるように許可するステップを更に含むことを特徴とする請求項２８に記載の方法。
【請求項３５】
１つもしくは複数のプロセッサと、
前記１つもしくは複数のプロセッサによって実行されるとき、請求項２８乃至請求項３４のいずれかの方法を遂行するコンピュータ実行可能命令を格納するメモリと
を備えることを特徴とする１つまたは複数のコンピューティングデバイス。
【請求項３６】
請求項２８乃至請求項３４のいずれかの方法を遂行するためのコンピュータプログラム。
【請求項３７】
共同タギング環境内で用語を収束化させるための自動化された収束化エンジンであって、
前記収束化エンジンは、
少なくとも一つのユーザを、共同タギング環境内の少なくとももう一つのユーザから受信される投稿物を収束化させるために、前記収束化エンジンの機能の少なくとも幾つかにアクセスすることができるように許可するための認定モジュールと、
前記ユーザが、前記収束化エンジンを使用して、前記投稿物を収束化させることを可能にするためのモジュールと
を含むことを特徴とする自動化された収束化エンジン。
【請求項３８】
前記モジュールは、ユーザが前記投稿物を、前記投稿物が少なくとも１つのネットワークリソース上に投函される前に、収束化させることを可能にするためのインタラクティブなモジュールを更に含むことを特徴とする請求項３７に記載の自動化された収束化エンジン。
【請求項３９】
前記モジュールは、ポストエントリモジュールを含み、
前記ポストエントリモジュールは、
前記ユーザが発散性の投稿物をそれらが前記ウェブページ上に投函されたとき検索すること、
前記ユーザが前記発散性の投稿物を収束化された投稿物に収束化させること、および
前記収束化された投稿物を前記ウェブページ上に投函すること、
が可能にさせることを特徴とする請求項３７に記載の自動化された収束化エンジン。
【請求項４０】
前記認定モジュールが、複数のユーザに対して適用可能なプロファイリングシステムを更に確立することを特徴とする請求項３７に記載の自動化された収束化エンジン。
【請求項４１】
前記認定モジュールは、コンテンツを前記共同タギング環境に投稿することに対して第１の数のポイントを更に付与することを特徴とする請求項４０に記載の自動化された収束化エンジン。
【請求項４２】
前記認定モジュールは、前記共同タギング環境に投稿されたコンテンツを編集することに対して第２の数のポイントを更に付与することを特徴とする請求項４１に記載の自動化された収束化エンジン。
【請求項４３】
前記第２のポイントの数は前記第１のポイントの数よりも大きいことを特徴とする請求項４２に記載の自動化された収束化エンジン。
【請求項４４】
前記認定モジュールは、前記少なくとも一つのユーザの許可において、前記ユーザがプロファイリングシステム下において何点稼いだかを更に考慮することを特徴とする請求項４０に記載の自動化された収束化エンジン。
【請求項４５】
前記認定モジュールは、前記ユーザが共同タギング環境内の用語を収束化させるために前記収束化エンジンの全ての機能にアクセスすることを更に許可することを特徴とする請求項３７に記載の自動化された収束化エンジン。
【請求項４６】
前記共同タギング環境へ発散性の投稿物を受信するためのユーザインタフェースと、
前記ユーザインタフェースからのコマンドに応答して、前記発散性の投稿物内の用語を収束化させるために、前記発散性の投稿物に関して解析を遂行するための解析モジュールと
を更に含むことを特徴とする請求項３７に記載の自動化された収束化エンジン。
【請求項４７】
前記解析モジュールは、前記ユーザインタフェースからのコマンドに応答して、前記発散性の投稿物に関して統計的解析を遂行する統計解析モジュールを更に含むことを特徴とする請求項４６に記載の自動化された収束化エンジン。
【請求項４８】
前記解析モジュールは、前記ユーザインタフェースからのコマンドに応答して、前記発散性の投稿物内の用語を収束化するために、前記発散性の投稿物に関して構文解析を遂行する構文解析モジュールを更に含むことを特徴とする請求項４６に記載の自動化された収束化エンジン。
【請求項４９】
前記ユーザインタフェースは、少なくとも一つの許可されたユーザからのコマンドに応答して、前記解析モジュールを、前記発散性の投稿物を処理するために起動することを特徴とする請求項４６に記載の自動化された収束化エンジン。
【請求項５０】
前記統計解析モジュールは、前記発散性の投稿物と共に発生する用語のヒストグラム表現を生成するために用いられることを特徴とする請求項４７に記載の自動化された収束化エンジン。
【請求項５１】
前記統計的解析モジュールは、少なくとも１つの許可されたユーザが、前記発散性の投稿物内の候補用語を、少なくとも１つの共通の用語に収束化させるために識別することを可能にするために用いられることを特徴とする請求項４７に記載の自動化された収束化エンジン。
【請求項５２】
前記統計解析モジュールは、少なくとも１つの許可されたユーザが、前記発散性の投稿物内の複数の識別された候補用語を、少なくとも１つの共通の用語に収束化させるためにグループ化することを可能にするために用いられることを特徴とする請求項４７に記載の自動化された収束化エンジン。
【請求項５３】
前記統計解析モジュールは、少なくとも１つの許可されたユーザが、複数のグループ化された用語が、収束化されるべき少なくとも１つの共通の用語を識別することを可能にするために用いられることを特徴とする請求項４７に記載の自動化された収束化エンジン。
【請求項５４】
前記構文解析モジュールは、文法をロードするため、および前記発散性の投稿物を前記文法に照らして処理するために用いられることを特徴とする請求項４８に記載の自動化された収束化エンジン。
【請求項５５】
前記構文解析モジュールは、前記発散性の投稿物内の口汚いコンテンツを識別するために用いられることを特徴とする請求項４８に記載の自動化された収束化エンジン。
【請求項５６】
前記構文解析モジュールは、前記発散性の投稿物内の未承認コンテンツを識別するために用いられることを特徴とする請求項４８に記載の自動化された収束化エンジン。